(57)【要約】  【課題】睡眠時に長時間にわたり安定して使用できる寝具を提供しようとする。  【解決手段】基床に前後方向に敷いて用いる寝具であって、前方に位置し人の頭部及び顔面部の一部を載置するクッション性を有する枕部と、人の顔面部から股部にかけた部分に前後方向に互いに並行に、かつ互いに密着して設置される束ねられたクッション性を有する複数の円筒体から成る胴体部とを含んでなり、枕部の使用時の高さは胴体部の使用時の高さよりもそれ以下と低くされ、胴体部の前方端部と枕部とが連結されてなる寝具である。複数の円筒体のうち両外側の円筒体の上端部位置より内側円筒体の上端部位置を股部方向に少許下げられ得る。また、枕部に並設した補助枕と、この補助枕から延び、胴体部に所定の間隙を有して並行に位置させた補助円筒体を備え得る。  【選択図】図２
2008259628.tif 000002
【特許請求の範囲】
【請求項１】
基床に前後方向に敷いて用いる寝具であって、前方に位置し人の頭部及び顔面部の一部を載置するクッション性を有する枕部と、人の顔面部から股部にかけた部分に前後方向に互いに並行に、かつ互いに密着して設置される束ねられたクッション性を有する複数の円筒体から成る胴体部と、前記枕部から横方向に延出した補助枕と、この補助枕に取付け、前記胴体部から所定の間隙を有し、かつ胴体部と略同じ方向に延出した横向き寝用の補助円筒体と、からなり、
前記枕部の使用時の高さは前記胴体部の使用時の高さよりもそれ以下と低くされ、
前記胴体部の前方端部と前記枕部とが連結され、前記胴体部と横向き寝用の補助円筒体とが連結されてなる寝具。
【請求項２】
前記枕部から延出した延出部を補助枕とし、この補助枕の高さを、枕部の高さより低くしたことを特徴とする請求項１に記載の寝具。
【請求項３】
前記複数の円筒体のうち両外側の円筒体の上端部位置より、内側円筒体の上端部位置を股部方向に少許下げたことを特徴とする請求項１又は乃至２に記載の寝具。
【請求項４】
前記枕部と前記胴体部、前記補助枕、前記横向き寝用の補助円筒体を一つの布団カバー内に収納することを特徴とする請求項１又は２に記載の寝具。
【発明の詳細な説明】
【技術分野】
【０００１】
本発明は、うつぶせ寝、横向き寝に適した寝具に関する。
【背景技術】
【０００２】
うつぶせ寝は、聖路加病院の日野原先生等の医師によっても提唱されている（例えば、
非特許文献１参照）ように、健康によいとされている。
医師の説によれば、人間も元来は四つ足の動物と同じく内臓がうつぶせ寝時の向きにあることが安定した状態であり、睡眠時も、この状態をとること、即ち、うつぶせ寝が健康上好ましいとされる。うつぶせ寝を習慣づけることにより、ひとつには舌根沈下が防止される。また、誤嚥が防止される。舌根沈下は無呼吸症候群の原因であり、誤嚥は、糖尿病
などで免疫力の低下した人にとっては誤嚥性肺炎や気管支炎の原因となる。うつぶせ寝により唾液の分泌が促進され、睡眠時に雑菌を唾液とともに口外に排出することができる。また、うつぶせ寝は痰の排出を容易にする。
【０００３】
医師の説によれば、楽なうつぶせ寝のポイントは、頭を横向きにし、マットと身体の間に隙間が出来ないようにクッションで埋めることである。
【０００４】
従来の寝具においてもうつぶせ寝を目的にしたものがいくつか提案されているが、これらは特殊な用途に用いられるものが多く、一般人が日常的に用いるのに適したものではなかった。とくに、上記のような楽なうつぶせ寝を実現させるものではなかった。
【０００５】
うつぶせ寝用寝具としては、上面が開放されている互いに平行な多数の溝が刻まれた、比較的固いクッション材と、この比較的固いクッション材の上面に重ねられた柔らかいクッション材であって、その上面から固いクッション材の溝に至るように、多数の空気孔が
設けられたものからなる寝具が開示されている（例えば、特許文献１参照）が、これは幼児用のものである。また、上記のような楽なうつぶせ寝を実現させるものではない。
【０００６】
また、枕本体の中央部に使用者の顔面の輪郭形状にほぼ相応した形状の孔を設け、使用者の顔面周縁部を受ける、少なくとも枕本体の孔の周縁部が弾性材料で構成され、横方向には予定の範囲でほぼ水平に変位できるが縦方向には変位しないように枕本体を支持体に装着したことを特徴とする枕が開示されている（例えば、特許文献２参照）が、これは医療用のまくらであり一般日常の継続使用には不適である。
【０００７】
さらに、コの字型の骨格部分とクッション部分とから成り、骨格部分に、空気の出入り
が可能な穴または隙間を有し、額を当てる部分の手前に鼻を挿入するための穴もしくは隙間を有し、後頭部または額・頬部を支えるための凹みを有する枕が開示されている（例えば、特許文献３参照）が、この枕は使用時に寝返りなどで枕が頭部からずれた場合、睡眠状態で元の装着状態に戻すことが難しい。また、楽なうつぶせ寝を実現させるものではない。
【特許文献１】特開２００３−６１７９１号公報
【特許文献２】特開平１０−２７７１０２号公報
【特許文献３】特開平７−２７５０９８号公報
【特許文献４】特願２００７−０５２６２２号
【非特許文献１】「うつぶせ寝健康法」監修：日野原  重明（聖路加国際病院理事長  同名誉院長）、著者：川島  みどり（日本赤十字看護大学教授）  丸山  征四郎（兵庫医科大学教授）、発行：ｋ k ベストセラーズ、発行日：２００５年１２月８日
【発明の開示】
【発明が解決しようとする課題】
【０００８】
非特許文献１で示した日野原医師の著書「うつぶせ寝健康法」によれば、うつぶせ寝のポイントは、頭部を横向きにし、マットと身体の間に隙間ができないようにクッションで埋めることであるとされ、具体的には、枕やクッションの使い方とそのポジションにあるとされている。
【０００９】
著書によれば、うつぶせ寝によって必然的に生じる身体と寝具との隙間を調整するために、小道具として薄い枕、折ったり畳んだりして高さを調整した夏蒲団、おでこや顎をのせる小さな枕などに工夫を凝らしながら、うつぶせ寝を自分の身体に覚えさせる努力を重ねることがうつぶせ寝に成功する秘訣であるとされ、著者はその結果３ヶ月をかけて体得されたとされている。
【００１０】
しかし、複数の小道具を身体の最適な位置に配置してうつぶせ寝を実現しても、人は寝返りもし、就眠中でも身体が動く。それに合わせて、小道具類の再配置作業は安眠の妨げになる。安心して朝まで睡眠に専念でき寝具の出現が待たれる。
【００１１】
また、うつぶせ寝をすると、頭部及び顔面部を横向きにするので、首に負担がかかり痛んだりする。日野原医師もその著書のなかで、あおむけに寝ていた人がうつぶせ寝に慣れるまでにはちょっと時間がかかるかもしれません。また、首の筋が伸びにくい人は最初うつぶせ寝が苦しいと感じる場合もあるでしょうと著書の中で認めている。
【００１２】
このような特別の長期訓練や小道具の配置、首を曲げるなどの苦行をすることもなく、誰もが簡易に安心して使用することができる寝具の出現が待たれる。
【００１３】
また、人は寝返りもするし、一夜を通じてうつぶせ寝のみを続けることはできない。そのためには、うつぶせ寝と横向き寝の状態の、その双方からも相互に寝返り等で移動ができる寝具の出現が待たれる。
【００１４】
また、特許文献４によれば、基床に前後方向に敷いて用いるうつぶせ寝用の寝具であって、前方に位置し人の頭部及び顔面部の一部を載置するクッション性を有する枕部と、人の顔面部から股部にかけた部分に前後方向に互いに並行に、かつ互いに密着して設置される束ねられたクッション性を有する複数の円筒体から成る胴体部と、枕部から横方向に延出した補助枕と、この補助枕に取り付け、胴体部から所定の間隙を有し、かつ胴体部と略同じ方向に延出した横向き寝用の補助円筒体と、からなり、枕部の使用時の高さは胴体部の使用時の高さと同等又はそれ以上とされ、胴体部の前方端部と枕部とが連結され、胴体部と横向き寝用の補助円筒体とが連結されてなるうつぶせ寝用寝具が特許申請されているが、この寝具の枕部の使用時の高さは、胴体部の使用時の高さと同等又はそれ以上とされている。そのために、胴体部上に位置する身体よりも、枕部上に位置するうつぶせ寝状態の就寝者の頭部が胴体部より高くなりやすく、うつぶせ寝状態の頭部が枕部上で後ろ方向にやや反った形になり、このために後頭部から首周辺での緊張を招く。このため、楽なうつぶせ寝を実現させるものではない。
【課題を解決するための手段】
【００１５】
本発明の要旨とするところは、基床に前後方向に敷いて用いる寝具であって、前方に位置し人の頭部及び顔面部の一部を載置するクッション性を有する枕部と、人の顔面部から股部にかけた部分に前後方向に互いに並行に、かつ互いに密着して設置される束ねられたクッション性を有する複数の円筒体から成る胴体部と、前記枕部から横方向に延出した補助枕と、この補助枕に取付け、前記胴体部から所定の間隙を有し、かつ胴体部と略同じ方向に延出した横向き寝用の補助円筒体と、からなり、前記枕部の使用時の高さは前記胴体部の使用時の高さよりもそれ以下と低くされ、前記胴体部の前方端部と前記枕部とが連結され、前記胴体部と横向き寝用の補助円筒体とが連結されてなる、寝具であることにある。
【００１６】
前記枕部から延出した延出部を補助枕とし、この補助枕の高さを、枕部の高さより低くしたことを特徴とする。
【００１７】
前記複数の円筒体のうち両外側の円筒体の上端部位置より、内側円筒体の上端部位置を股部方向に下げたことを特徴とする。
【００１８】
前記枕部と前記胴体部、前記補助枕、前記横向き寝用の補助円筒体を一つの布団カバー内に収納することを特徴とする。
【発明の効果】
【００１９】
本発明では、枕部の使用時の高さを胴体部の使用時の高さよりもそれ以下と低くするので、うつぶせ寝で就寝するとき、首が後ろに反ったりせず、首に不要な緊張を招かない効果がある。
【００２０】
本発明では、就寝者の身体は、枕部、胴体部、補助枕、補助円筒体により支えられ、うつぶせ寝、横向き寝の状態で、基床から適切な高低差で身体の各部が一定の高さに支持される。
【００２１】
また、枕部と補助枕とを直接連結して両枕の間の間隙をなくしたので、頭部の移行が可能になり、スムースな寝返りが出来るようになった。その結果、寝返りが中断されることがなくなった。
【００２２】
また、枕部の高さよりも補助枕の高さを低くしたことにより、枕部上に載置されたうつぶせ状態の頭部が、寝返りで補助枕へよりスムースに移行できるようになった。
【００２３】
また、補助円筒体と補助枕とは着脱自在な連結手段を用い、取り外せるようにしたので、健常者にとっても健康によいとされるうつぶせ寝用の部分のみの寝具を提供できるようになった。
【００２４】
また、補助枕と補助円筒体の接合位置、補助円筒体と胴体部との間隙を、それぞれの着脱自在な連結手段で調整することが可能になり、個々に適切な調節が可能になった。
【００２５】
うつぶせ寝状態で頭部から股部までが、基床より一定の高さに支持される結果、亀が甲羅から手足を出し休む姿のように、両手、両足はこの寝具から左右に出て、基床上に位置する。身体と寝具の間に間隙は発生せず、腕等への荷重もなく、手足は解放される。
【００２６】
この寝具は、胴体部上は蒲鉾形状で高さがあり、しかも狭ので、うつぶせ寝状態の使用者が僅かに左右に重心移動しただけで、身体はすぐに傾斜状態になり、無理に首を横に曲げなくても呼吸をすることができる。
【００２７】
また、うつぶせ寝状態で、例えば、左右対称に位置する両手の片方を上下の向きを変えると、身体と顔面は自然に傾斜する。その結果、無理に首を横に曲げなくても呼吸をすることができる。
【００２８】
これらにより、もともと基床より高い位置にある鼻孔や口の近傍にさらなる空間が形成され、鼻呼吸、口呼吸の吸排気は円滑になる。平坦な基床上で首を無理に曲げた場合と異なり、首への負担もない。      
【００２９】
うつぶせ寝により、人はイビキ、睡眠時無呼吸症候群、酸素不足による脳卒中などあお向き寝の弊害等から解放され、またセキが軽くなり、タンが排出され易くなり、血行が改善され、睡眠の質を上げられるなど、健康によいとされる効果が認められている。
【００３０】
この寝具では、胴体部と横向き寝用の補助円筒体との間隙が、就寝者の胴部巾に略保たれる。寝返りにより仰向き寝になろうとしても、両肩を含む身体の巾の方が間隙よりも広いので仰向き寝には至らず、横向き寝、斜め横向き寝に誘導される。
【００３１】
この寝具では、胴体部と横向き寝用の補助円筒体との間隙が、布団カバーにより覆われ、一見して略Ｕ字型の溝のように見える。就寝者は、きつくもなく緩くもないこの略Ｕ字型の間隙の中で寝返りをうつこともできる。
【００３２】
胴体部と補助円筒体との間隙を一定に保つ役割は、間隙を繋ぐ着脱自在な連結手段により果たされる。この連結手段は布団カバーの内部でカバーの布により守られている。
【００３３】
この寝具は、全体が滑らかな一つの布団カバーによって包まれるため、うつぶせ寝状態と横向き寝状態の双方から相互間の移動も寝返りなどでスムースにできる効果がある。
【００３４】
また、一つの布団カバーによって、直接寝具を汚すことはなく、清潔を守ることができる。
【００３５】
また、一つの布団カバーによって、保管上でも長大で嵩張るこの寝具を丸くまとめる効果がある。
【発明を実施するための最良の形態】
【００３６】
本発明の寝具の態様について説明する。なお、本明細書においては、各図にわたって記される同じ符号は同一又は同様の部材やものを示す。図１、図２、図３において、本発明の寝具１は、基床Ｂに前後方向に敷いて用いる寝具であって、前方に位置し人１００の頭部１０１及び顔面部の一部を載置するクッション性を有する枕部３と、人の顔面部から股部１０３にかけた部分に前後方向に互いに並行に、かつ互いに密着して設置される束ねられたクッション性を有する複数の円筒体４から成る胴体部５と、枕部３から横方向に延出した補助枕６と、この補助枕６に取付け、胴体部５から所定の間隙７を有し、かつ胴体部５と略同じ方向に延出した横向き寝用の補助円筒体８と、からなり、枕部３の使用時の高さは胴体部５の使用時の高さよりもそれ以下と低くされ、胴体部５の前方端部９と枕部３とが連結され、胴体部５と横向き寝用の補助円筒体８とが連結されてなる寝具１である。            
【００３７】
枕部３の使用時の高さは、胴体部５の使用時の高さよりもそれ以下と低くされる。これは、胴体部５上に位置する身体よりも、枕部３上に位置するうつぶせ寝状態の就寝者の頭部１０１の位置を低くすることにより、うつぶせ寝で就寝するとき、頭部が後ろに反り、首に不要な緊張などの負担をかけないようにするために、胴体部５よりも枕部３の高さを低くした。  
【００３８】
枕部３は、人１００のおでこや、顔面部の目のあたりを直接支持するため、例えば、柔らかな綿や低反発素材などを材質とするのが好ましい。それらを、膨張をおさえながら、枕部３の型に型崩れしないように高密度に形成し、布等で枕部３に仕立てられる。
【００３９】
枕部３の大きさは、例えば、平均的な成人男子用の場合、高さは１３cm、前後巾は25ｃｍ、左右巾は４５ｃｍであることが好ましい。
【００４０】
胴体部５の役割を果たすために、身体の顔面部から股部１０３までが基床Ｂより一定の高さで保持できること、並びに、胴体部５の左右巾が一定の巾に保持できることが求められる。
【００４１】
胴体部５の大きさは、例えば、平均的な成人男子用の場合、高さは1６ｃｍ、前後の長さは８０ｃｍ、左右巾は使用する人１００の胴部巾と略同じ巾の、例えば、35ｃｍであることが好ましい。胴体部５は枕部３よりやや高くなっている。
【００４２】
図１、図２に示すように、胴体部５の前方端部９と、枕部３とは直接接合されてもよいが、可撓性のシート状の中間部材１０を介して着脱自在に連結されていることが不使用時の収納が容易となるうえでも好ましい。
【００４３】
図２においては、可撓性の中間部材１０は長方形の布地からなるが、胴体部５の前方端部９と、枕部３とを連結する可撓性の中間部材１０であれば布地に限定されず、紐等の部材からなるものであってもよい。
【００４４】
図２においては、胴体部５の前方端部９と布地の後方端部とが面ファスナーにより連結されている。前方端部９には面ファスナーのオス１３が、布地の後方端部には面ファスナーのメス１４が配される。
【００４５】
図２においては、枕部３及び補助枕６の前方下縁１５が布地の前端縁１６と縫い目を介して縫合により結合している。この結合はファスナーを介するものであってもよい。枕部３と補助枕６と布地との結合は、面ファスナー、ホックあるいはボタン等の着脱自在な結合手段によるものであってもよい。
【００４６】
図1、図２、図４、に示すように、複数の円筒体４のうち両外側の円筒体４の上端部位置１８より、内側の円筒体４の上端部位置１８を股部１０３方向に少許下げることにより、胴体部５と枕部３とが連結されたとき、両者の間には少許の空隙１９を生じさせることができる。
【００４７】
また、図２、図４に示すように、胴体部５の内側円筒体４が少許下げられた部分１２だけ胴体部が長くなっている。この長くなった部分１２が股部１０３位置にあるので、両足で挟むことができ、胴体部５と人１００とが密着する上で好ましい。
【００４８】
また、この少許の空隙１９は、枕部３と胴体部５とが連結されたとき、鼻孔、口の近傍に空隙１９を形成し、呼吸時の給排気を円滑にするための手段である。
【００４９】
図１、図2、図4に示すように、胴体部５は、人１００の顔面部から股部１０３にかけた部分に前後方向に互いに並行に、かつ互いに密着して設置される束ねられたクッション性を有する複数の円筒体４から構成されている。
【００５０】
複数の円筒体４は前後方向に互いに並行に並べられ、かつ、隣り合う円筒体４の側部２０が縫い目を介して縫い合により密着されている。円筒体４の側部２０の結合は接着剤によるものでもよい。
【００５１】
円筒体４は、例えば、布団綿の膨張を極力圧縮しつつ、幾重にも巻き、高密度の円筒形状に形成し、布等で仕立てて円筒体４としたものである。
【００５２】
また、円筒体４は布団綿以外のもの、例えば、じゅうたん、バスマット、毛布などの布体を高密度に筒状に巻き取った巻き体であってもよい。円筒体４の大きさは、平均的な成人男子用の場合、例えば、長さは70ｃｍ、直径は、枕部３の高さ13ｃｍよりも高い１６ｃｍ、であることが好ましい。
【００５３】
図５に示すのは、図４に示した、布で束ねられた複数の円筒体４から成る胴体部５を、基床Ｂ上で横一線に切断した断面図である。胴体部５は、例えば、略蒲鉾形状をしている。
【００５４】
図４に示すように、複数の円筒体４は布で巻かれることで、更に高密度に加工され型崩れしない一体化した胴体部５に仕上げられる。
【００５５】
図３は、この寝具１を用いて、うつぶせ寝をしている状態を示す図である。うつぶせ寝をしているときに、枕部３及び胴体部５のようなクッション性のある物体が、人１００の頭部１０１から股部１０３にわたって敷かれた状態にあることは、睡眠の安定にとって重要である。このことは、前述のように医師によっても提唱されている。
【００５６】
図５に示すように、クッション性を保ちながら、型崩れしにくい材質で高密度に形成された複数の円筒体４から成る胴体部５は、高さや左右巾も一定に保持される。所定の高さと左右巾が保たれた胴体部５によって、うつぶせ寝状態での手足は基床Ｂ上に解放され、楽な状態となり安定する。
【００５７】
また、上記のような胴体部５により、うつぶせ状態での人１００が僅かに胴体部５上で体重を左右に重心移動しただけで身体はすぐ傾斜状態にすることができる。また、重心移動をしなくても、左右対称に位置する両手のうちの一方を上下に位置を変えるだけで、顔面を自然に傾斜させられる。
【００５８】
以上の結果、この寝具１を用いた場合は、無理に首のみを横に曲げなくてもうつぶせ寝状態で楽に呼吸をすることができる
【００５９】
頭部１０１が枕部３からずれたりはずれたりした場合でも、胴体部５が位置ガイドとなって意識的あるいは半ば無意識的に身体を動かして頭部１０１の位置をもとにもどすことが容易になる。また、股部１０３が胴体部５からはずれたりずれたりした場合でも、上記と同様に、身体を動かして股部１０３の位置をもとにもどすことが容易になる。
【００６０】
図６に示す図は、うつぶせ寝用の枕部３と補助枕６との間の間隙をなくし、枕部３と補助枕６とを直接連結して就寝した状態における、枕部３と補助枕６および頭部１０１とを横一線に切断した断面図である。
【００６１】
図６では、枕部３と補助枕６とは高低差があり、枕部３でうつぶせ状態であった頭部１０１が、寝返りで補助枕６にスムースに移行し、約４５度の傾斜で補助枕６上に載置されている。頭部１０１が傾斜している理由は、補助円筒体８が横向き寝の状態の身体に敷かれて背後部をささえているからである。
【００６２】
図７に示すのは、この寝具１を用いて、横向きに就寝している状態を示す斜視図である。胴体部５が抱き枕状態で、補助円筒体８が横向き寝の状態の身体に敷かれて背後部をささえている。  
【００６３】
図２においては、枕部３から横方向に延出した補助枕６にはホックのメス２３が配され、補助円筒体８の前方端部９にはホックのオス２２が配される。
【００６４】
図２、及び図８に示した補助円筒体８の前方端部にはホックのオス２２の数は、例えば、３個と少なく配され、図２に示した補助枕６に配されたホックのメス２３の数は、例えば、６個とより多く配され、これらメス２３の選択により助円筒体８と補助枕６との結合位置を変ることができる。
【００６５】
また、図２、及び図８に示した補助円筒体８の後方端部２８側の帯状の布紐２４には面ファスナーのオス１３が、図２、及び図４に示した胴体部５側の後方端部２９側の帯状の布紐２４には面ファスナーのメス１４が配される。
【００６６】
これらにより、補助円筒体８と胴体部５との間隙７又は同意別名でＵ字型の溝２７の大きさを使用する人１００のサイズに合わせて調整できる。
【００６７】
補助枕６と補助円筒体８との間隙７、補助円筒体８と胴体部５の後方端部２８，２９間の間隙を連結及び調節する手段は、以上のホックや面ファスナー、帯状の布紐２４にこだわらずファスナーや紐その他着脱自在な連結手段、調節手段を介して行われてもよい。
【００６８】
補助円筒体８は、身体に長く敷かれる状態が続くので、胴体部５を構成する円筒体４より比較的柔らかいクッション性の部材からなることが好ましい。図８に示すように、補助円筒体８の形状は、肩部に対応する部分の直径はやや大きく、腰部に対応する部分の直径はやや細くされている。
【００６９】
補助円筒体８の直径は、例えば、肩部を支える前方端部９では１３ｃｍ、腰部を支える後方端部２８では１０ｃｍであることが好ましい。長さは、横向き寝の状態で前方端部９が肩部から、後方端部２８が人１００の腰の近傍に達するほどの、例えば、平均的な成人男子用の場合、７０ｃｍであることが好ましい。
【００７０】
図６に示すように、補助枕６の高さは、枕部３の約半分の高さである。前後左右の幅は、枕部より広く平らである。愛用している枕が補助枕６として条件に合えば、寝具１に使用することができる。
【００７１】
この寝具１は、図９に示すように、専用の一つの布団カバー２５で全てを包込むので、連結手段の緩みも発生しにくく、布団カバー２５が、この寝具１を最終的に仕上げ、使用するための実用手段となる。
【００７２】
うつぶせ寝による鼻汁、よだれは、直接寝具１を汚す。だが、布団カバー２５は洗濯ができ、清潔を守ることができる。
【産業上の利用可能性】
【００７３】
図９は、収納口２６のある下方から布団カバー２５を見た下面図である。とじ部は、面ファスナー１３，１４により閉じられる。
【００７４】
その他、本発明は、主旨を逸脱しない範囲で当業者の知識に基づき種々なる改良、修正、変更を加えた態様で実施できるものである。
【図面の簡単な説明】
【００７５】
【図１】本発明の寝具の側面図である。
【図２】同寝具の上面図である。
【図３】同寝具を用いてうつぶせに就寝している状態を示す図である。
【図４】同寝具の胴体部を示す上面図である。
【図５】同寝具の胴体部を横一線に切断した断面図である。
【図６】同寝具に人が用いた状態で、枕部と補助枕部分を横一線に切断した断面図である。
【図７】同寝具に人が横向きに就寝している状態を示す斜視図である。
【図８】同寝具の補助円筒体を示す上面図である。
【図９】同寝具の枕部、胴体部、補助枕、補助円筒体を使用できる状態で布団カバー内に収納し、収納口がある下方から見た専用の布団カバーの下面図である。
【符号の説明】
【００７６】
・  寝具
Ｂ：基床  
３、枕部
４、円筒体
５、胴体部
６、補助枕
７、間隙
８、補助円筒体
９、前方端部
１０、可撓性の中間部材
１２、内側円筒体が少許下げられ長くなった部分
１３、面ファスナーのオス
１４、面ファスナーのメス
１５、前方下縁
１６、布地の前端縁
１８、上端部位置
１９、空隙
２０、円筒体の側部
２２、ホックのオス
２３、ホックのメス
２４、帯状の布紐
２５、専用の布団カバー
２６、カバーの収納口
２７、Ｕ字型の溝
２８、補助円筒体の後方端部
２９、胴体部の後方端部
１００：人
１０１：頭部
１０３：股部
【図１】
2008259628.tif 000003
【図２】
2008259628.tif 000004
【図３】
2008259628.tif 000005
【図４】
2008259628.tif 000006
【図５】
2008259628.tif 000007
【図６】
2008259628.tif 000008
【図７】
2008259628.tif 000009
【図８】
2008259628.tif 000010
【図９】
2008259628.tif 000011